(57)【要約】      （修正有）【課題】主に操縦者を放射線シールド体で覆って地面から発生する放射線から運転者を保護できるようにする。【解決手段】移動機体上に搭載されていて、前後・左右のピラー３Ａ、３Ｂ、３Ｃ、３Ｄと、操縦席４を包囲する底壁５、前後壁６、７、左右側壁８、９及び天壁１０とを有しており、前記左右側壁８、９の少なくとも一方を後側壁１１とその前側の開閉自在なドア壁１２で形成し、前後・左右の壁６、７、８、９の上部にガラスを嵌め込んだ作業車両のキャビン装置である。前記底壁５、前後壁６、７及び左右側壁８、９にそれぞれガラスより下側の略全面を覆う放射線シールド体Ｓ１，Ｓ２，Ｓ６ｂ，Ｓ６ｃ，Ｓ６ｄ，Ｓ７，Ｓ９，Ｓ１１，を設けている。【選択図】図２
2013230795.tif 000002
【特許請求の範囲】
【請求項１】
移動機体（２）上に搭載されていて、前後・左右のピラー（３Ａ、３Ｂ、３Ｃ、３Ｄ）と、操縦席（４）を包囲する底壁（５）、前後壁（６、７）、左右側壁（８、９）及び天壁（１０）とを有しており、前記左右側壁（８、９）の少なくとも一方を後側壁（１１）とその前側の開閉自在なドア壁（１２）で形成し、前後・左右の壁（６、７、８、９）の上部にガラス（６ａ、７ａ、８ａ、９ａ）を嵌め込んだ作業車両のキャビン装置であって、
前記底壁（５）、前後壁（６、７）及び左右側壁（８、９）にそれぞれガラス（６ａ、７ａ、８ａ、９ａ）より下側の略全面を覆う放射線シールド体（Ｓ）を設けていることを特徴とする作業車両のキャビン装置。
【請求項２】
前後壁（６、７）及び左右側壁（８、９）を覆う放射線シールド体（Ｓ）は、鉛板（１５）を鉄板ケース（１６）で覆い、上部に吊り下げ用掛合部（１７）を設けており、各壁に着脱自在に装着していることを特徴とする請求項１に記載の作業車両のキャビン装置。
【請求項３】
前記ドア壁（１２）の放射線シールド体（Ｓ）は、ドア壁（１２）よりキャビン内側に配置されていて、操縦席（４）の左右側方に立設された固定シールド体（Ｓ１）と、操縦席（４）への乗降路上に配置されていて、前ピラー（３Ａ）に内外方向開閉自在に取り付けられた開閉シールド体（Ｓ２）とを有することを特徴とする請求項１又は２に記載の作業車両のキャビン装置。
【請求項４】
前記開閉シールド体（Ｓ２）は、内方に開くことを特徴とする請求項３に記載の作業車両のキャビン装置。
【請求項５】
前記ガラス（６ａ、７ａ、８ａ、９ａ）は鉛含有ガラスであることを特徴とする請求項１〜４のいずれか１項に記載の作業車両のキャビン装置。
【発明の詳細な説明】
【技術分野】
【０００１】
本発明は、トラクタ、バックホー等に装着される作業車両のキャビン装置に関する。
【背景技術】
【０００２】
トラクタ等の作業車両のキャビン装置は、特許文献１に開示されているように、トラクタ機体上に搭載されていて、前後・左右のピラーと、操縦席を包囲する底壁、前後壁、左右側壁及び天壁とを有しており、前記左右側壁の少なくとも一方を後側壁とその前側の開閉自在なドア壁で形成し、前後・左右の壁の略全面にガラスを嵌め込んだ構成となっている。
【０００３】
従って、キャビン装置は、トラクタにフロントローダ等の対地作業装置を装着して対地作業をする場合、周囲４面がガラス張りであることにより、水平周囲だけでなく、地上表面の視界も良好になっており、風雨、温度等の環境から操縦者を保護することが可能になっている。
【先行技術文献】
【特許文献】
【０００４】
【特許文献１】特開２０１１−２３０６９３号公報
【発明の概要】
【発明が解決しようとする課題】
【０００５】
前記従来技術のキャビン装置は、底壁は板金製であり、前後・左右の壁は板金かガラス張りとなっており、放射能汚染された道路、畦畔、法面の表土剥ぎ取り等の対地作業では、土面からの放射線に対してなんら防御することができなく、操縦者を保護することができないため、放射能汚染地域では使用困難になっている。
本発明は、このような従来技術の問題点を解決できるようにした作業車両のキャビン装置を提供することを目的とする。
【０００６】
本発明は、主に操縦者を放射線シールド体で覆うことにより、放射線から操縦者を保護できるようにした作業車両のキャビン装置を提供することを目的とする。
【課題を解決するための手段】
【０００７】
本発明における課題解決のための具体的手段は、次の通りである。
第１に、移動機体２上に搭載されていて、前後・左右のピラー３Ａ、３Ｂ、３Ｃ、３Ｄと、操縦席４を包囲する底壁５、前後壁６、７、左右側壁８、９及び天壁１０とを有しており、前記左右側壁８、９の少なくとも一方を後側壁１１とその前側の開閉自在なドア壁１２で形成し、前後・左右の壁６、７、８、９の上部にガラス６ａ、７ａ、８ａ、９ａを嵌め込んだ作業車両のキャビン装置であって、
前記底壁５、前後壁６、７及び左右側壁８、９にそれぞれガラス６ａ、７ａ、８ａ、９ａより下側の略全面を覆う放射線シールド体Ｓを設けていることを特徴とする。
【０００８】
第２に、前後壁６、７及び左右側壁８、９を覆う放射線シールド体Ｓは、鉛板１５を鉄板ケース１６で覆い、上部に吊り下げ用掛合部１７を設けており、各壁に着脱自在に装着していることを特徴とする。
第３に、前記ドア壁１２の放射線シールド体Ｓは、ドア壁１２よりキャビン内側に配置されていて、操縦席４の左右側方に立設された固定シールド体Ｓ１と、操縦席４への乗降路上に配置されていて、前ピラー３Ａに内外方向開閉自在に取り付けられた開閉シールド体Ｓ２とを有することを特徴とする。
【０００９】
第４に、前記開閉シールド体Ｓ２は、内方に開くことを特徴とする。
第５に、前記ガラス６ａ、７ａ、８ａ、９ａは鉛含有ガラスであることを特徴とする。
【発明の効果】
【００１０】
本発明によれば、主に操縦者を放射線シールド体で覆って、地面から発生する放射線から操縦者を保護できる。
即ち、請求項１に係る発明は、底壁５、前後壁６、７及び左右側壁８、９にそれぞれガラス６ａ、７ａ、８ａ、９ａより下側の略全面を覆う放射線シールド体Ｓを設けることに
より、地面側からキャビン内に入ろうとする放射線を遮蔽することができ、放射線から操縦者を保護できる。
【００１１】
請求項２に係る発明は、前後壁６、７及び左右側壁８、９を覆う放射線シールド体Ｓは、鉛板１５を鉄板ケース１６で覆う構成に個別に製作して、重い鉛板でありながらクレーン等で吊り下げて各壁に装着することができる。
請求項３に係る発明は、ドア壁１２の放射線シールド体Ｓは、ドア壁１２と別個にキャビン内側に配置されており、ドア壁１２を開閉操作容易な軽量物に維持したまま、乗降路上の通行を妨げることなく、乗降路上を通過しようとする放射線を遮蔽することができる。
【００１２】
請求項４に係る発明は、操縦ハンドル、クラッチペダル、ブレーキペダル等の操縦装置４０の乗降口側を覆うことになり、放射能を防ぐ防護服を着ていても、不測にこれらに接触することがない。
請求項５に係る発明は、ガラス６ａ、７ａ、８ａ、９ａを鉛含有ガラスで形成することにより、操縦者の頭部の被爆を減少することができる。
【図面の簡単な説明】
【００１３】
【図１】本発明の実施形態を示す作業車両全体の側面図である。
【図２】キャビン装置の断面平面図である。
【図３】キャビン装置の正面図である。
【図４】図３のＸ−Ｘ線断面図ある。
【図５】キャビン装置の背面図である。
【図６】キャビン装置の右側面図である。
【図７】キャビン装置の左側面図である。
【図８】キャビン装置の断面左側面図である。
【発明を実施するための形態】
【００１４】
以下、本発明の実施の形態を図面に基づいて説明する。
図１〜８において、符号１はトラクタで例示した移動機体２に装着された作業車両のキャビン装置を示している。移動機体２はエンジン２１の後部にミッションケース２２を連結し、エンジン２１を搭載する前フレーム２３にタイヤ式の前輪２４を懸架し、エンジン２１を覆うボンネット２５を装着しており、ミッションケース２２の左右後側部にクローラ式の走行装置２６を懸架し、ミッションケース２２上にキャビン装置１を搭載し、エンジン２１の左右側部に取り付けた装着フレーム２７に対地作業装置としてのフロントローダ２８を装着している。
【００１５】
操縦席４を包囲するキャビン装置１は、移動機体２とは独立して製作され、全面を密閉してその内部を加圧可能になっており、底部が前後・左右の４カ所でクッション材を介して移動機体２上に搭載されている。
キャビン装置１は、図２に示すように平面視略四角形であり、左前角部に左前ピラー３Ａが、右前角部に右前ピラー３Ｂが、右後角部に右後ピラー３Ｃが、左後角部に左後ピラー３Ｄがそれぞれ配置され、左前ピラー３Ａと左後ピラー３Ｄとの間及び右前ピラー３Ｂと右後ピラー３Ｃとの間にはそれぞれセンタピラー３Ｅ、３Ｆが配置されている。
【００１６】
前後・左右のピラー３Ａ、３Ｂ、３Ｃ、３Ｄは、下端が底壁５及び下枠材と連結され、上端が天壁１０及び上枠材と連結され、左右前ピラー３Ａ、３Ｂ間には前壁６が設けられ、左右後ピラー３Ｃ、３Ｄ間には後壁７が設けられている。左右前ピラー３Ａ、３Ｂの上部は後傾斜しており、左右後ピラー３Ｃ、３Ｄの上部は前傾斜している。
左前ピラー３Ａと左後ピラー３Ｄとの間は左側壁８が設けられ、右前ピラー３Ｂと右後ピラー３Ｃとの間は右側壁９が設けられている。左側壁８はセンタピラー３Ｅを境にして、後側の後側壁１１と前側の開閉自在なドア壁１２とで形成されている。
【００１７】
右側壁９は左側壁８と同様に、ドア壁１２を設けてもよいが、ここではセンタピラー３Ｆを境にして、後側の後側壁１８と前側の前側壁１９とをピラー３Ｂ、３Ｆ、３Ｃに固定している。
前記前後・左右の壁６、７、８、９は上部にガラス６ａ、７ａ、８ａ、９ａが嵌め込ま
れている。このガラス６ａ、７ａ、８ａ、９ａは操縦席４に着座する操縦者の顔と略同じ高さに配置され、運転、操縦及び作業状況確認のためにキャビン装置１の外方を見ることができるようになっている。
【００１８】
このガラス６ａ、７ａ、８ａ、９ａには鉛含有ガラス（放射線遮蔽用鉛ガラス）が使用されている。鉛含有ガラスは既存の一般ガラスと重合させて用いてもよい。
前記底壁５は、操縦席４を載置した操縦台部５ａと、この操縦台部５ａの前側のステップ部５ｂと、操縦台部５ａの後側で上方へ立ち上がった背壁部５ｃとを有し、この背壁部５ｃは後壁７の下部も構成している。
【００１９】
この底壁５は、上面側がキャビン内面となる鉄板の上面に多数枚の鉛板を張り詰め、更にその鉛板の上面側をゴムマットで覆って放射線シールド体が形成されている。
図２〜４において、前記前壁６はガラス６ａの下側の略全面が鉄板で形成され、下部の左右中央はエンジン２１及びボンネット２５の後方に位置し、エンジンルームの背壁を形成しており、この下部中央部６Ｐは前面又は背面に鉛板が取り付けられ、その部分自体が放射線シールド体Ｓとなっている。この下部中央部６Ｐの背面、即ち、キャビン内面には操縦ハンドル、クラッチペダル及びブレーキペダル等の操縦装置４０が配置されている。
【００２０】
前壁６の下部中央以外の上部中央部６Ｕ、左右側部６Ｌ、６Ｒはボンネット２５から露出する部分であり、図３に示すように、それぞれ外面（前面）に放射線シールド体Ｓ６ｂ、Ｓ６ｃ、Ｓ６ｄが取り付けられている。
この放射線シールド体Ｓ６ｂ、Ｓ６ｃ、Ｓ６ｄは、図４示すように、鉛板１５を前後鉄板ケース１６で最中形状に挟んで包囲している。前後鉄板ケース１６の一方の上部には板片にフック又はワイヤを挿入可能な孔１７ａを形成した吊り下げ用掛合部１７を設けている。
【００２１】
また、鉛板１５及び前後鉄板ケース１６にはボルト３１を貫通するボルト孔３２が形成されており、このボルト孔３２は前後鉄板ケース１６の一方に固着された鉄筒３３で形成されている。
前記放射線シールド体Ｓ６ｂ、Ｓ６ｃ、Ｓ６ｄは、前後鉄板ケース１６及び鉄筒３３により鉛板１５の面が露出しない構成となっており、鉛板１５は放射線を遮蔽可能な厚さ（例えば、４ｃｍ以上の厚さ）であり、重量物となっている。
【００２２】
従って放射線シールド体Ｓ６ｂ、Ｓ６ｃ、Ｓ６ｄは、フック又はワイヤを吊り下げ用掛合部１７に掛合して、クレーン等で吊り下げて、前壁６に当てがい、ボルト孔３２にボルト３１を挿入して前壁６に着脱自在に固定される。
図５において、後壁７は、前記底壁５の背壁部５ｃが鉛板を鉄板で包囲した放射線シールド体で形成され、背壁部５ｃから立ち上がっている壁が鉄板で形成され、その鉄板の外面に放射線シールド体Ｓ７が装着されている。
【００２３】
この放射線シールド体Ｓ７は横長形状であり、吊り下げ用掛合部１７が左右２カ所に設けられ、４本のボルト３１によって後壁７に着脱自在に固定されている。
図６において、右前ピラー３Ｂからセンタピラー３Ｆを介して右後ピラー３Ｃに至る右側壁９が設けられている。この右側壁９は、センタピラー３Ｆを境にして後側壁１８と前側壁１９とが形成され、その後側壁１８及び前側壁１９の上部にはガラス９ａが嵌め込まれ、下部を形成する鉄板の外面には、ガラス９ａより下側に前後に長い１枚の放射線シールド体Ｓ９を貼り付けている。
【００２４】
この放射線シールド体Ｓ９は放射線シールド体Ｓ７と同様に、吊り下げ用掛合部１７が左右２カ所に設けられ、複数本のボルト３１によって着脱自在に固定されている。
前記右側壁９は、クローラ式走行装置２６を覆うフェンダＦの立上壁Ｆａも有しており、この立上壁Ｆａは底壁５の操縦台部５ａ及び背壁部５ｃの側端と連結されている。この立上壁Ｆａを含むフェンダＦの内面にも放射線シールド体が付設されている。
【００２５】
図１、２、７、８において、左前ピラー３Ａと左後ピラー３Ｄとの間は左側壁８が設けられている。この左側壁８はセンタピラー３Ｅを境にして、後側の後側壁１１と前側のドア壁１２とで形成されている。左前ピラー３Ａとセンタピラー３Ｅとの間は乗降口となっており、ドア壁１２はこの乗降口を開閉する。
また、右側壁９と同様に、左側壁８は、クローラ式走行装置２６を覆うフェンダＦの立上壁Ｆａを有しており、この立上壁Ｆａは底壁５の操縦台部５ａ及び背壁部５ｃの側端と連結されており、フェンダＦの内面に放射線シールド体が付設されている。
【００２６】
左側壁８の後側壁１１には、壁を形成する鉄板の外面のガラス１１ａより下側に、１枚の放射線シールド体Ｓ１１が貼り付けられている。
左側壁８のドア壁１２は蝶番３５を介してセンタピラー３Ｅに外開き開閉自在に支持されており、それ自体には放射線シールド体は設けられていなく、従来と同様な軽量構造であり、蝶番３５に係る負荷が小さいので、軽い操作力で開閉できるようになっている。
【００２７】
このドア壁１２に対向して、ドア壁１２よりキャビン内側に放射線シールド体Ｓが配置されている。この放射線シールド体Ｓは、操縦席４の左側方のフェンダＦ上に立設された固定シールド体Ｓ１と、操縦席４への乗降路上に配置された開閉シールド体Ｓ２とを有する。
固定シールド体Ｓ１はクレーン等を使っての組み付けができないため、手持ち可能な大きさに前後方向複数個に分割されており、底壁５及びフェンダＦから立設された取付枠４１に着脱自在に取り付けられている。
【００２８】
開閉シールド体Ｓ２は、左前ピラー３Ａに枢支軸４２を介して回動自在に支持された回動枠４３に貫通ボルト３１で着脱自在に取り付けられており、操縦席４に通じる乗降路（ステップ部５ｂの上面）を塞ぐように配置されている。
開閉シールド体Ｓ２は、開放する方向を内外どちらにでも設定することができるが、降車時には、開閉シールド体Ｓ２を開放状態にしてからドア壁１２を開放する方が操作容易になるので、ドア壁１２と干渉しないキャビン内方へ開放する構造となっている。
【００２９】
内方へ開放した開閉シールド体Ｓ２は、クラッチペダルやブレーキペダルの乗降口（通路）側を覆うようにしている。
回動枠４３には回動ロック手段４６が設けられている。この回動ロック手段４６は回動枠４３の後端にロックロッド４７が上下動自在に支持され、底壁５にはロックロッド４７の下端が係合するロック部材４８が設けられている。
【００３０】
前記回動ロック手段４６はロックロッド４７をロック部材４８に係合することにより、開閉シールド体Ｓ２を閉鎖位置、即ち、放射線遮蔽位置に保持し、係合を解除することにより、開閉シールド体Ｓ２を開放可能にする。
前記開閉シールド体Ｓ２には吊り下げ用掛合部１７を設けておいてもよく、回動ロック手段４６は回動枠４３と取付枠４１とを連結する部材で構成してもよい。
【００３１】
前記左側壁８のドア壁１２、固定シールド体Ｓ１及び開閉シールド体Ｓ２並びに回動ロック手段４６の構成は、右側壁９に乗降口を形成した場合にも適用できる。
図１において、天壁１０上には２連のフィルタ装置４４，４５が設けられており、キャビン装置１の後上方から吸入した空気を、フィルタ装置４４，４５で２段階濾過して、キャビン装置１内部へ供給可能になっている。
【００３２】
前記キャビン装置１を搭載した作業車両を、放射能汚染された道路、畦畔、法面に移動し、フロントローダ２８で表土剥ぎ取り等の対地作業するとき、土面からの放射線がキャビン装置１内を透過しょうとすると、キャビン装置１の底壁５、前後壁６、７及び左右側壁８、９にそれぞれ設けられた放射線シールド体Ｓがその放射線を遮蔽し、操縦者を保護し、各壁の上部に設けた鉛含有ガラス６ａ、７ａ、８ａ、９ａが、操縦者の頭部を保護する。
【００３３】
前記キャビン装置１においては、底壁５、前後壁６、７及び左右側壁８、９にそれぞれガラスより下側の略全面を覆うために設けられる放射線シールド体Ｓとして、放射線の遮蔽能力が優れる割には安価である鉛、若しくは鉛含有材料が使用されており、鉛に直接接触することにより人体に有害な影響を及ぼさないように、鉄板またはその他の板で覆っている。また、放射線強度を１０分の１に減衰させるために鉛板厚さを４ｃｍ以上に設定している。
【００３４】
なお、本発明は前記実施形態における各部材の形状及びそれぞれの前後・左右・上下の位置関係は、図１〜８示すように構成することが最良である。しかし、前記実施形態に限
定されるものではなく、部材、構成を種々変形したり、組み合わせを変更したりすることもできる。
例えば、キャビン装置１はトラクタ用に限らず、バックホー、トラクタ・ローダ・バックホー（ＴＬＢ）等の作業車両のキャビンにも適用できる。
【００３５】
前後壁６、７及び左右側壁８、９に設けられる放射線シールド体Ｓは、底壁５と同様に、壁面を形成する鉄板に鉛板を張り詰めて、その鉛板を鉄板で覆って、着脱できない構造にしてもよい。
【符号の説明】
【００３６】
１    キャビン装置
２    移動機体
３    ピラー
３Ａ  左前ピラー
４    操縦席
５    底壁
６    前壁
６ａ  ガラス
７    後壁
８    左側壁
９    右側壁
９ａ  ガラス
１０  天壁
１１  後側壁
１１ａ  ガラス
１２  ドア壁
１５  鉛板
１６  鉄板ケース
１７  掛合部
１８  後側壁
１９  前側壁
４１  取付枠
４２  枢支軸
４３  回動枠
Ｆ    フェンダ
Ｆａ  立上壁
Ｓ    放射線シールド体
Ｓ１  固定シールド体
Ｓ２  開閉シールド体
【図１】
2013230795.tif 000003
【図２】
2013230795.tif 000004
【図３】
2013230795.tif 000005
【図４】
2013230795.tif 000006
【図５】
2013230795.tif 000007
【図６】
2013230795.tif 000008
【図７】
2013230795.tif 000009
【図８】
2013230795.tif 000010